(57)【要約】【課題】ＩＤカードの正当性を券面に印刷されたＩＤ番号とＩＣチップに記憶されたＩＤ番号との照合に頼っていた従来のＩＤカードでは、偽造や変造に対する防御が十分でなかった。【解決手段】券面に印刷された顔写真にＩＤ情報を担持する電子透かしを重畳する。【選択図】        図２
2005001267.tif 000002
【特許請求の範囲】
【請求項１】
券面に少なくとも顔写真、ＩＤ情報及び該ＩＤ情報に対応する電子透かしが形成されるとともに、前記ＩＤ情報を記憶しているＩＣメモリを有することを特徴とするＩＤカード。
【請求項２】
ＩＤ情報を読み取るＯＣＲ、電子透かしを読み取る電子透かし読取手段及びＩＣメモリに記憶されているデータを読み取るＩＣ読取手段を有することを特徴とするＩＤカード検査装置。
【請求項３】
少なくとも顔写真及びＩＤ情報を含む画像をＩＤカード素材に形成する画像形成手段を有するＩＤカード発行装置において、前記画像形成手段は、電子透かし重畳手段を有し、前記画像に重畳して電子透かしを書き込むことを特徴とするＩＤカード発行装置。
【発明の詳細な説明】
【０００１】
【発明の属する技術分野】
本発明は、カード所有者を証明する証明カード、すなわち、従業員証、学生証、各種の資格を証明する資格証明証等のＩＤカード、ＩＤカード検査装置及びＩＤカード発行装置に関する。
【０００２】
【従来の技術】
例えば、特許文献１や特許文献２のように、ＩＤカードは一般に、カード所有者の顔写真、ＩＤ番号等が券面に形成されており、必要な場合には、カードを所持している者がカード所有者本人であるか否かが、顔写真の照合とＩＤ番号の確認により行われる。
【０００３】
また近時、ＩＣチップを内蔵したＩＤカードが使用されており、ＩＣチップのメモリに記憶されているカード番号を券面に形成されたＩＤ番号と照合出来るようになり、検査装置側におけるデータ処理により、ＩＤ番号の正当性が判断されるようになって、カードの変造や盗難に対する安全性が向上している。
【０００４】
【特許文献１】
特開平７−８８９７４号公報
【０００５】
【特許文献２】
特開平１０−３１８４７号公報
【０００６】
【発明が解決しようとする課題】
しかしながら、カードの変造、偽造等に対する防御に関しては、防御技術と防御打破技術とが競い合う関係にあり、より高い防御機能が要望されている。
【０００７】
券面に印刷されているＩＤ情報をＩＣチップのメモリに記憶させたものでは、印刷番号が変更されるなど、券面番号と記憶番号とが一致しないカードを、変造又は偽造として検知することができる点で、カードの信頼性を保持する手段ではあるが、顔写真を貼り替えるなどの不正行為に対する対策としては機能しないという問題がある。
【０００８】
本発明は、このような問題を解決し、現在のＩＤカードにおける変造や偽造に対する防御技術を格段に向上することを目的とする。
【０００９】
【課題を解決するための手段】
前記目的は下記の発明により達成される。
【００１０】
１．券面に少なくとも顔写真、ＩＤ情報及び該ＩＤ情報に対応する電子透かしが形成されるとともに、前記ＩＤ情報を記憶しているＩＣメモリを有することを特徴とするＩＤカード。
【００１１】
２．ＩＤ情報を読み取るＯＣＲ、電子透かしを読み取る電子透かし読取手段及びＩＣメモリに記憶されているデータを読み取るＩＣ読取手段を有することを特徴とするＩＤカード検査装置。
【００１２】
３．少なくとも顔写真及びＩＤ情報を含む画像をＩＤカード素材に形成する画像形成手段を有するＩＤカード発行装置において、前記画像形成手段は、電子透かし重畳手段を有し、前記画像に重畳して電子透かしを書き込むことを特徴とするＩＤカード発行装置。
【００１３】
【発明の実施の形態】
図１は本発明の実施の形態に係るＩＤカードの一例を示し、図において、ＩＤカード１の券面（表面）には、顔写真１０、ＩＤ番号１１、氏名１２等を含む画像が印刷されている。
【００１４】
ＩＤ情報は、ＩＤカード所有者を特定する情報であり、カード毎に付与された各カード固有の番号からなるＩＤ番号が代表的であるが、ＩＤ番号の他にカード所有者の氏名、身分、所属等の情報を含む。
【００１５】
ＩＤカード１は図１（ｂ）に示すように、樹脂フィルムからなる基板１３、画像担持層１４及び樹脂フィルムからなる表面層１５を有し、基板１３と表面層１５間にＩＣチップ１６及びアンテナ１７が埋め込まれている。画像担持層１４は顔写真、ＩＤ番号の画像を担持し、これらの画像は、ＩＤカード素材の作成工程における全カード一律のパターン印刷と、カード発行工程における個々のカードに対する情報の書込工程とにより形成される。表面層１４は、ラミネート処理により、基板層１３に固着されており、画像担持層１５及びＩＣチップ１６を保護し、また、カードの変造を防止する。ＩＣチップ１６は、メモリを有し、ＣＰＵを有していてもよい。メモリには、カード所有者の情報が記憶されており、記憶情報の書き換えが可能である。本発明のＩＤカードにおいては、ＩＤ情報がＩＣチップ１６のメモリに記憶されている。
【００１６】
顔写真１０には、電子透かしが重畳されている。電子透かしは情報が目視では見えない画像として書き込まれたものであり、専用のソフトを用いて読み取ることができる。本発明においては、ＩＤ情報が顔写真１０を含む画像に重畳された電子透かしとして記録されている。なお、顔写真１０以外の画像に電子透かしを重畳させることもできる。
【００１７】
電子透かしは、たとえば、特開平９−１９１３９４号公報、特開平１０−１４５７５７号公報、特開平１１−９８３４１号公報等で開示された周知の書込手段・読取手段で書込・読取を行うことができる。このように、本発明においては、ＩＤ情報が、ＩＤ番号１１、ＩＣチップ１６のメモリ及び顔写真１０に重畳された電子透かしとしてＩＤカード１に記録されているので、これら三者の照合による検査が可能となり、カードの信頼性がきわめて高いものとなる。
【００１８】
たとえば、顔写真を貼り替えた変造カードは、電子透かしからＩＤ情報を読み取る検査工程で確実に発見される。また、画像読取のみにより券面に印刷されたＩＤ番号と電子透かしで記録されたＩＤ番号との照合が可能になるので、簡単で迅速な検査が可能になる。
【００１９】
図２は本発明の実施の形態に係るカード発行装置を示す。
図において、撮影装置２１からの顔写真の画像データＤ１及びホストコンピュータ２０からのデータＤ２は、画像データ作成装置２２において合成されてプリンタ２３を駆動する透かし処理画像データＤ４が作成される。データＤ２には、顔写真１０とともに、ＩＤ番号１１のように、可視画像として書き込まれるデータＤ２Ａと電子透かしとして記録する命令Ｄ２Ｂが含まれる。画像データ作成装置２２は電子透かし重畳手段２２Ａを有し、命令Ｄ２Ｂで指定されたＩＤ番号等のデータを画像データに電子透かしとして、可視画像を形成する画像データに重畳する。
【００２０】
画像データ作成装置２２において、ホストコンピュータ２０からのデータＤ２を解読して電子透かしとするデータの抽出を行い、可視画像を形成する画像データに重畳することも可能である。画像データに電子透かしが重畳された透かし処理画像データＤ４は画像データ作成装置２２からプリンタ２３に入力されて、プリンタ２３において、ＩＤカード素材に画像書込される。画像データ作成手段２２及びプリンタ２３は画像形成手段を構成する。
【００２１】
ホストコンピュータ２０からは、リーダ・ライタ２４にデータＤ３が伝送され、リーダ・ライタ２４がＩＣチップ１６にデータＤ３を書き込む。データＤ３には、ＩＤ番号１１（図１に示す）等のＩＤ情報が含まれており、ＩＣチップ１６のメモリにはＩＤ情報が記憶される。
【００２２】
図３は本発明の実施の形態に係るカード検査装置を示す。
図において、スキャナ２５がＩＤカード１（図１に示す）を読み取って取得した画像データＤ５は、透かし読取手段２６に入力され、透かし読取手段２６は、画像データＤ５からＩＤ情報を抽出して読み取り、ＩＤ情報Ｄ６を出力する。スキャナ２５及び透かし読取手段２６は透かし読取手段を構成する。
【００２３】
画像データＤ５は、また、ＯＣＲ２７に入力され、ＩＤ番号１１（図１に示す）等のＩＤ情報が解読され、ＯＣＲ２７からは、ＩＤ情報Ｄ７が出力される。
【００２４】
一方、ＩＣ読取手段としてのリーダ・ライタ２８がＩＣチップ１６（図１に示す）から、そのメモリに記憶されているデータを読み取り、ＩＤ情報のデータＤ８を出力する。
【００２５】
照合器２９は、ＩＤ情報Ｄ６、Ｄ７及びＤ８を照合して、ＩＤカード１の正当性を検査する。
【００２６】
なお、照合器２９は簡便な検査として、ＩＤ情報Ｄ６とＩＤ情報Ｄ７のみを照合してカードの正当性を検査することもできる。
【００２７】
【発明の効果】
請求項に記載の発明により、ＩＤカードの偽造・変造に対する防御が強化されるとともに、強化された防御システムによるカード正当性の検査は、自動化された工程で実施できるので、迅速な検査が可能になる。
【００２８】
さらに、ＩＣの読取を行うことなく検査が可能になるので、ＩＣ読取器がない場合や、ＩＣ内のデータの読取が出来ない場合でもＩＤカード正当性の検査が可能になる。
【図面の簡単な説明】
【図１】本発明の実施の形態に係るＩＤカードを示す図である。
【図２】本発明の実施の形態に係るＩＤカード発行装置を示すブロック図である。
【図３】本発明の実施の形態に係るＩＤカード検査装置を示すブロック図である。
【符号の説明】
１  ＩＤカード
１０  顔写真
１１  ＩＤ番号
１２  氏名
１６  ＩＣチップ
２０  ホストコンピュータ
２１  撮影装置
２２  画像データ作成装置
２２Ａ  電子透かしデータ重畳器
２３  プリンタ
２４、２８  リーダ・ライタ
２５  スキャナ
２６  透かし検出器
２７  ＯＣＲ
２９  照合器
【図１】
2005001267.tif 000003
【図２】
2005001267.tif 000004
【図３】
2005001267.tif 000005